(57)【要約】【課題】取り外されたＩＣタグの読み取りを可能にし、目視での不正確認を容易にする。【解決手段】ＩＣチップ１にアンテナコイル２と破断スイッチ３をＰＥＴフィルムなどの基板４上で接合してインレット５を形成する。破断スイッチ３は、所定以上の張力が加わると破断して回路を遮断する構造になっている。インレット５は、基板４上面の外周と破断スイッチ３の頂面に粘着剤ａを塗布して上面を表面シール６で被覆し、下面全体に粘着剤ａを塗布して下面をシリコンの剥離処理を施した剥離紙７に支持する。このインレット５を剥離紙７から引き剥がして物品などに貼付する。【選択図】図１
2005316628.tif 000002
【特許請求の範囲】
【請求項１】
ＩＣのデータ入力回路に所定以上の張力が加わると破断して回路を遮断するスイッチを挿入し、
このスイッチの状態を入力する入力手段と、
入力したスイッチの状態を応答信号に付加して送信する送信手段と、
を備えることを特徴とするすり替え防止機能付きＩＣタグ。
【請求項２】
前記スイッチが導電性のインク液を入れた脆弱な袋で形成されたものであることを特徴とする請求項１記載のすり替え防止機能付きＩＣタグ。
【請求項３】
前記スイッチがインク液を入れた脆弱な袋に導電性の細線を挿入して形成されたものであることを特徴とする請求項１記載のすり替え防止機能付きＩＣタグ。
【請求項４】
前記スイッチがインク液を入れた脆弱な導電性の袋で形成されたものであることを特徴とする請求項１記載のすり替え防止機能付きＩＣタグ。
【請求項５】
前記スイッチは底面をインレットの基板に固着し、頂面を表面シールに粘着して取り付けらたものであることを特徴とする請求項１記載のすり替え防止機能付きＩＣタグ。
【請求項６】
前記スイッチの底面が接するインレットの基板にはあらかじめ切り込みが入れられていることを特徴とする請求項１記載のすり替え防止機能付きＩＣタグ。
【請求項７】
前記スイッチ周辺のインレットの基板表面にはインク液を吸着する表面加工が施されていることを特徴とする請求項１記載のすり替え防止機能付きＩＣタグ。
【請求項８】
前記スイッチ周辺のインレットの基板表面にはインク液を吸着する塗料が塗布されていることを特徴とする請求項１記載のすり替え防止機能付きＩＣタグ。
【請求項９】
前記スイッチ周辺のインレットの基板表面にはインク液を吸着するテープが貼られていることを特徴とする請求項１記載のすり替え防止機能付きＩＣタグ。
【発明の詳細な説明】
【技術分野】
【０００１】
本発明は、ＩＣタグを不正にすり替える行為を防止する機能が付加されたすり替え防止機能付きＩＣタグに関する。
【背景技術】
【０００２】
固体認識を非接触で行うＩＣタグは製造工程でデータをＲＯＭに書き込むことから書き換えができず、高い真正性が保証されている。
また、さまざまな物品に装着できることから紙幣などの有価証券の偽造防止、入退室管理を確実に行うための個人認証、製造、流通、販売などの過程における物品管理など幅広い分野での利用が見込まれている。
【０００３】
これらのＩＣタグはさまざまな物品に装着できる反面、他の物品に付け直すことも簡単にできてしまう。
また、表面のシールを剥がして他のシールに貼り替えることも簡単にできてしまう。
そのため、例えば物品管理などにおいて高額な商品のＩＣタグと安価な商品のＩＣタグを付け替えたり、偽物の商品に本物の商品から引き剥がしたＩＣタグを貼り付けるなどの不正行為がなされる危険性がある。
【０００４】
この問題を解決するために、特開２０００−１５１４５９号公報において、ＩＣタグを物品から取り外そうとするとＩＣとアンテナの接続部分が破壊されるようにしてＩＣタグのすり替えを防止する方法が提案されている。
しかしながら、この方法ではＩＣとアンテナが切り離されてしまうため、取り外されたＩＣタグのＩＤが読めなくなってしまう。
そのため、本来のＩＣタグが何であったのか判らないばかりでなく、トレーサビリティに利用する場合は履歴情報が追跡できず、どの時点で不正が行われたのか知ることができなくなってしまう。
また、目視では確認するのが難しく、リーダ／ライタを使ってＩＤを読み取ってみないと不正を検知することができないという問題もある。
【特許文献１】特開２０００−１５１４５９号公報
【発明の開示】
【発明が解決しようとする課題】
【０００５】
解決しようとする問題点は、従来の方法はＩＣとアンテナが切り離されてしまうため、ＩＣタグの読み取りができなくなり、また、目視での不正確認が困難な点であり、本発明は、取り外されたＩＣタグの読み取りを可能にし、目視での不正確認を容易にすることを目的になされたものである。
【課題を解決するための手段】
【０００６】
本発明は、ＩＣのデータ入力回路に所定以上の張力が加わると破断して回路を遮断するスイッチを挿入し、このスイッチの状態を入力する入力手段と、入力したスイッチの状態を応答信号に付加して送信する送信手段をＩＣタグに備えることを最も主要な特徴とする。
【発明の効果】
【０００７】
本発明は、所定以上の張力が加わると破断して回路を遮断するスイッチをＩＣに付加してすり替を検知するので、ＩＣタグ本来の機能を損なうことなくすり替を検知できるようになる。そのため、取り外されたＩＣタグの読み取り関する支障が一切なくなる。
また、スイッチが破断すると中のインク液が漏出してスイッチの周辺に付着するので、ＩＣタグのすり替えを容易に目視確認できるようになる。
【発明を実施するための最良の形態】
【０００８】
以下、本発明の実施の形態について説明する。
【０００９】
図１と図２に、本発明を実施したすり替え防止機能付きＩＣタグの平面図と断面図を示す。
図では、主に１５０ｋＨｚ以下、あるいは１３．５６ＭＨｚの周波数帯を使用する電磁誘導方式のＩＣタグの例を示している。
すり替え防止機能付きＩＣタグは、ＩＣチップ１にアンテナコイル２と破断スイッチ３をＰＥＴフィルムなどの基板４上で接合してインレット５を形成する。
破断スイッチ３は、所定以上の張力が加わると破断して回路を遮断する構造になっている。
インレット５は、基板４上面の外周と破断スイッチ３の頂面に粘着剤ａを塗布して上面を表面シール６で被覆し、下面全体に粘着剤ａを塗布して下面をシリコンの剥離処理を施した剥離紙７に支持する。
このインレット５を剥離紙７から引き剥がして物品などに貼付する。
【００１０】
図３と図４に、破断スイッチの平面図と断面図を示す。
破断スイッチ３は、厚膜印刷技術を用いて基板４上にメンブレン３１を成膜し、その上を脆弱な材料のパッキング３２で被膜して袋状の液貯蔵層３３を形成し、その中に導電性のインク液ｂを入れる。
液貯蔵層３３の両端には電極３４を配置し、リード線３５を介してＩＣチップ１に接続する。
なお、破断スイッチ３の底面が接する基板４にはあらかじめ例えば×印などの形の切り込みｃを入れておく。
これにより、インレット５を引き剥がそうとすると、基板４が引っ張られて切り込みｃの切れ幅が拡大し、基板４と一体の破断スイッチ３の破断を確実にする。
この切り込みｃは、３６０°如何なる方向から引っ張られても切れ幅が拡大するようになっている。
【００１１】
また、基板４表面の破断スイッチ３周辺あるいは基板４表面全体に網点形成などの表面加工を施してインク液ｂの吸着を容易にする。
表面加工の他に、基板４表面にインク液ｂを吸着する塗料を塗布したり、インク液ｂを吸着する紙や布などのテープを貼ってもよい。
これにより、破断の際に漏出したインク液ｂが周辺の基板４表面に付着するので、破断スイッチ３が破断したことを容易に目視確認できるようになる。
【００１２】
破断スイッチ３は、図５に示すように、液貯蔵層３３の両端を導電性の細線ｄで結んで通電させてもよい。
あるいは、メンブレン３１やパッキング３２をアルミなどの金属箔で形成して通電させてもよい。
その場合、液貯蔵層３３の中には目視可能な染料の入った通常のインク液ｂを入れる。
【００１３】
図６に、本発明を実施したすり替え防止機能付きＩＣタグのブロック図を示す。
すり替え防止機能付きＩＣタグは、ＩＣチップ１のアンテナ接続部にアンテナコイル２を接続し、ＩＣチップ１のデータ入力部に破断スイッチ３を接続する構成である。
ＩＣチップ１は、アンテナコイル２に接続する整流回路１１、復調回路１２、変調回路１３およびクロック回路１４からなるアナログ回路部と、ＣＰＵ１５とメモリ１６からなるデジタル回路部で構成される。
【００１４】
すり替え防止機能付きＩＣタグは以上のような構成で、リーダ／ライタ４がＩＤの読取信号を変調してアンテナコイル５に印加すると、誘導電磁界が発生してタグ側のアンテナコイル２に誘起電圧が発生する。
この誘起電圧を整流回路１１が整流して動作電源とし、クロック回路１４がその周波数を用いてＩＣ同期用のクロックを生成する。
これよりＩＣ回路に電力とクロックが供給されると、復調回路１２がクロックに同期させながらリーダ／ライタ４から受信した読取信号を復調し、ＣＰＵ１５が読取信号を解析してメモリ１６からＩＤを読み出し、読み出したＩＤを変調回路１３が変調してアンテナコイル２から送信する。
このとき、ＣＰＵ１５は破断スイッチ３の入力処理を行い、入力したスイッチの状態をＩＤに付加してリーダ／ライタ４に送信する。
【００１５】
本発明を実施したすり替え防止機能付きＩＣタグは以上のような構成で、インレット５を他の物品などに付け替える場合、インレット５を引き剥がそうとすると、フィルム状の基板４が引っ張られて基板４に入れた切り込みｃの切れ幅が拡大する。
これにより、図７に示すように、いずれかの切り込みｃに沿って引き裂き力が作用し、破断スイッチ３が破断する。
このとき、中に入れた導電性のインク液ｂが漏出して破断スイッチ３周辺の基板４表面にインク液ｂが付着する。
そのため、リーダ／ライタ４がＩＤを読み取る前にインレット５が引き剥がされたことを目視で検知できるようになる。
また、中に入れた導電性のインク液ｂが漏出すると破断スイッチ３がオフになる。
そのため、ＩＤの読み取り時に付加されるスイッチの状態を識別してリーダ／ライタ４側でもインレット５が引き剥がされたことを検知できるようになる。
【００１６】
液貯蔵層３３の両端を細線ｄで結ぶ破断スイッチ３の場合は、図８に示すように、同様に破断スイッチ３が破断し、中に入れた通常のインク液ｂが漏出して破断スイッチ３周辺の基板４表面にインク液ｂが付着する。
また、破断スイッチ３の破断と共に中の細線ｄが断線し、同様に破断スイッチ３がオフになる。
【００１７】
また、インレット５の表面シール６を他の表面シール６に貼り替える場合、表面シール６を引き剥がそうとすると、底面を基板４に固着し、頂面を表面シール６に粘着する破断スイッチ３が上方に引っ張られて破断する。
そのため、インレット５を引き剥がそうとする場合と同様に破断スイッチ３周辺の基板４表面にインク液ｂが付着し、破断スイッチ３がオフになる。
【図面の簡単な説明】
【００１８】
【図１】本発明を実施したすり替え防止機能付きＩＣタグの平面図である。
【図２】図１の断面図である。
【図３】破断スイッチの平面図である。
【図４】図３の断面図である。
【図５】変形例の破断スイッチの平面図である。
【図６】本発明を実施したすり替え防止機能付きＩＣタグのブロック図である。
【図７】破断スイッチの破断状態を示す図である。
【図８】変形例の破断スイッチの破断状態を示す図である。
【符号の説明】
【００１９】
１        ＩＣチップ
１１      整流回路
１２      復調回路
１３      変調回路
１４      クロック回路
１５      ＣＰＵ
１６      メモリ
２        アンテナコイル
３        破断スイッチ
３１      メンブレン
３２      パッキング
３３      液貯蔵層
３４      電極
３５      リード線
４        基板
５        インレット
６        表面シール
７        剥離紙
ａ        粘着剤
ｂ        インク液
ｃ        切り込み
ｄ        細線
【図１】
2005316628.tif 000003
【図２】
2005316628.tif 000004
【図３】
2005316628.tif 000005
【図４】
2005316628.tif 000006
【図５】
2005316628.tif 000007
【図６】
2005316628.tif 000008
【図７】
2005316628.tif 000009
【図８】
2005316628.tif 000010
【手続補正書】
【提出日】平成17年4月25日(2005.4.25)
【手続補正１】
【補正対象書類名】特許請求の範囲
【補正対象項目名】全文
【補正方法】変更
【補正の内容】
【特許請求の範囲】
【請求項１】
ＩＣのデータ入力回路に所定以上の張力が加わると破断して回路を遮断するスイッチを挿入し、
このスイッチの状態を入力する入力手段と、
入力したスイッチの状態を応答信号に付加して送信する送信手段と、
を備えることを特徴とするすり替え防止機能付きＩＣタグ。
【請求項２】
前記スイッチが導電性のインク液を入れた脆弱な袋で形成されたものであることを特徴とする請求項１記載のすり替え防止機能付きＩＣタグ。
【請求項３】
前記スイッチがインク液を入れた脆弱な袋に導電性の細線を挿入して形成されたものであることを特徴とする請求項１記載のすり替え防止機能付きＩＣタグ。
【請求項４】
前記スイッチがインク液を入れた脆弱な導電性の袋で形成されたものであることを特徴とする請求項１記載のすり替え防止機能付きＩＣタグ。
【請求項５】
前記スイッチは底面をインレットの基板に固着し、上面を表面シールに粘着して取り付けらたものであることを特徴とする請求項１記載のすり替え防止機能付きＩＣタグ。
【請求項６】
前記スイッチの底面が接するインレットの基板にはあらかじめ弱め線が切り込まれていることを特徴とする請求項５記載のすり替え防止機能付きＩＣタグ。
【請求項７】
前記スイッチ周辺のインレットの基板表面にはインク液を吸着する表面加工が施されていることを特徴とする請求項５記載のすり替え防止機能付きＩＣタグ。
【請求項８】
前記スイッチ周辺のインレットの基板表面にはインク液を吸着する塗料が塗布されていることを特徴とする請求項５記載のすり替え防止機能付きＩＣタグ。
【請求項９】
前記スイッチ周辺のインレットの基板表面にはインク液を吸着するテープが貼られていることを特徴とする請求項５記載のすり替え防止機能付きＩＣタグ。
【手続補正２】
【補正対象書類名】明細書
【補正対象項目名】全文
【補正方法】変更
【補正の内容】
【発明の詳細な説明】
【技術分野】
【０００１】
本発明は、ＩＣタグを不正にすり替える行為を防止する機能が付加されたすり替え防止機能付きＩＣタグに関する。
【背景技術】
【０００２】
固体認識を非接触で行うＩＣタグは、製造工程でデータをＲＯＭに書き込むことから書き換えができず、高い真正性が保証されている。
また、さまざまな物品に装着できることから紙幣などの有価証券の偽造防止、入退室管理を確実に行うための個人認証、製造、流通、販売などの過程における物品管理など幅広い分野での利用が見込まれている。
【０００３】
これらのＩＣタグはさまざまな物品に装着できる反面、他の物品に付け直すことも簡単にできてしまう。
また、表面のシールを剥がして他のシールに貼り替えることも簡単にできてしまう。
そのため、例えば物品管理などにおいて高額な商品のＩＣタグと安価な商品のＩＣタグを付け替えたり、偽物の商品に本物の商品から引き剥がしたＩＣタグを貼り付けるなどの不正行為がなされる危険性がある。
【０００４】
この問題を解決するために、特開２０００−１５１４５９号公報には、ＩＣタグを物品から取り外すとＩＣとアンテナの接続部分が破壊されるようにしてＩＣタグのすり替えを防止する方法が提案されている。
しかし、この方法ではＩＣとアンテナが切り離されてしまうため、取り外されたＩＣタグのＩＤが読めなくなってしまう。
そのため、本来のＩＣタグが何であったのか判らないばかりでなく、ＩＣタグをトレーサビリティに利用する場合は履歴情報が追跡できず、どの時点で不正が行われたのかも知ることができない。
また、目視ではすり替えを確認するのが難しく、リーダ／ライタを使ってＩＤを読み取ってみないと不正を検知することができないという問題もある。
【特許文献１】特開２０００−１５１４５９号公報
【発明の開示】
【発明が解決しようとする課題】
【０００５】
本発明が解決しようとする問題点は、従来の方法はＩＣとアンテナが切り離されてしまうことから、ＩＣタグの読み取りができなくなり、また、目視での不正確認が困難な点であり、本発明は、取り外されたＩＣタグの読み取りを可能にし、さらに目視での不正確認をも容易にすることを目的になされたものである。
【課題を解決するための手段】
【０００６】
本発明は、ＩＣのデータ入力回路に所定以上の張力が加わると破断して回路を遮断するスイッチを挿入し、このスイッチの状態を入力する入力手段と、入力したスイッチの状態を応答信号に付加して送信する送信手段をＩＣタグに備えることを最も主要な特徴とする。
【発明の効果】
【０００７】
本発明は、所定以上の張力が加わると破断して回路を遮断するスイッチをＩＣに付加してすり替を検知するので、ＩＣタグ本来の機能を損なうことなくすり替を検知できるようになる。そのため、取り外されたＩＣタグの読み取りに関する支障が一切なくなる。
また、スイッチが破断すると中のインク液が漏出してスイッチの周辺に付着するので、ＩＣタグのすり替えを目視で確認できる。
【発明を実施するための最良の形態】
【０００８】
以下、本発明の実施の形態について説明する。
【０００９】
図１と図２に、本発明を実施したすり替え防止機能付きＩＣタグの平面図と断面図を示す。
図では、主に１５０ｋＨｚ以下、あるいは１３．５６ＭＨｚの周波数帯を使用する電磁誘導方式のＩＣタグの例を示している。
すり替え防止機能付きＩＣタグは、ＩＣチップ１にアンテナコイル２と破断スイッチ３をＰＥＴフィルムなどの基板４上で接合してインレット５を形成する。
破断スイッチ３は、所定以上の張力が加わると破断して回路を遮断する構造になっている。
インレット５は、基板４の周縁と破断スイッチ３に粘着剤ａを塗布してその上を表面シール６で被覆し、裏側には粘着剤ａを塗布してシリコンの剥離処理を施した剥離紙７を貼る。
このインレット５を剥離紙７から引き剥がして物品などに貼付する。
【００１０】
図３と図４に、破断スイッチの平面図と断面図を拡大して示す。
破断スイッチ３は、厚膜印刷技術を用いて基板４上にメンブレン３１を成膜し、その上を脆弱な材料のパッキング３２で被膜して袋状の液貯蔵層３３を形成し、その中に導電性のインク液ｂを入れる。
液貯蔵層３３の両端には電極３４を配置し、リード線３５を介してＩＣチップ１に接続する。
基板４にはあらかじめ例えば×印などの形に破線状に弱め線ｃを入れておくとよい。
これにより、インレット５を引き剥がそうとすると、基板４が引っ張られて弱め線ｃの切れ幅が拡大し、基板４と一体の破断スイッチ３の破断を確実にする。
この弱め線ｃは、縦横どの方向から引っ張られても切れ幅が拡大するようになっている。
【００１１】
また、基板４表面の破断スイッチ３の周辺あるいは基板４の表面全体に網点形成などの表面加工を施してインク液ｂの吸着を容易にするとよい。
表面加工の他に、基板４表面にインク液ｂを吸着する塗料を塗布したり、インク液ｂを吸着する紙や布などのテープを貼ってもよい。
これにより、破断の際に漏出したインク液ｂが微量ながら周辺の基板４に広く拡散して付着するので、破断スイッチ３が破断したことを容易に目視確認できるようになる。
【００１２】
破断スイッチ３は、図５に示すように、液貯蔵層３３の両端を導電性の切れ易い細線ｄで結んで通電させてもよい。
あるいは、メンブレン３１やパッキング３２をアルミなどの金属箔で形成して通電させてもよい。
その場合、液貯蔵層３３の中には目視可能な染料の入った通常のインク液ｂを入れる。
【００１３】
図６に、本発明を実施したＩＣタグのブロック図を示す。
ＩＣタグは、ＩＣチップ１のアンテナ接続部にアンテナコイル２を接続し、ＩＣチップ１のデータ入力部に破断スイッチ３を接続する構成である。
ＩＣチップ１は、アンテナコイル２に接続する整流回路１１、復調回路１２、変調回路１３およびクロック回路１４からなるアナログ回路部と、ＣＰＵ１５とメモリ１６からなるデジタル回路部で構成される。
【００１４】
ＩＣタグは以上のような構成で、リーダ／ライタ８がＩＤの読取信号を変調してアンテナコイル９に印加すると、誘導電磁界が発生してタグ側のアンテナコイル２に誘起電圧が発生する。
この誘起電圧を整流回路１１が整流して動作電源とし、クロック回路１４がその周波数を用いてＩＣ同期用のクロックを生成する。
これよりＩＣ回路に電力とクロックが供給されると、復調回路１２がクロックに同期させながらリーダ／ライタ８から受信した読取信号を復調し、この読み取り信号をＣＰＵ１５が解析してメモリ１６からＩＤを読み出し、読み出したＩＤを変調回路１３が変調してアンテナコイル２から送信する。
このとき、ＣＰＵ１５は破断スイッチ３の入力処理を行い、入力したスイッチの状態をＩＤに付加してリーダ／ライタ８に送信する。
【００１５】
本発明のＩＣタグは以上の構成で、ＩＣタグを他の物品などに付け替える場合、ＩＣタグを引き剥がそうとすると、フィルム状の基板４が引っ張られて基板４に入れた弱め線ｃの切れ幅が拡大する。
これにより、図７に示すように、いずれかの弱め線ｃに沿って引き裂き力つまり張力が作用し、破断スイッチ３が破断する。
このとき、中に入れた導電性のインク液ｂが漏出して破断スイッチ３周辺の基板４表面にインク液ｂが広く拡散して付着する。
そのため、リーダ／ライタ４がＩＤを読み取るより前にインレット５が引き剥がされたことが目視で検知できる。
また、中に入れた導電性のインク液ｂが漏出すると破断スイッチ３がオフになる。
そのため、ＩＤの読み取り時に付加されるスイッチの状態を識別してリーダ／ライタ８側でもＩＣタグが引き剥がされたことを検知できる。
【００１６】
液貯蔵層３３の両端を細線ｄで結ぶ構成の破断スイッチ３の場合は、図８に示すように、ＩＣタグを引き剥がすと破断スイッチ３が破断し、中に入れた通常のインク液ｂが漏出して破断スイッチ３周辺の基板４表面にインク液ｂが付着する。
また、破断スイッチ３の破断と共に中の細線ｄが断線し、同様に破断スイッチ３がオフになる。
【００１７】
また、インレット５の表面シール６を他の表面シール６に貼り替える場合、表面シール６を引き剥がそうとすると、底面を基板４に固着し、上面を表面シール６に粘着する破断スイッチ３が上方に引っ張られて破断する。
そのため、インレット５を引き剥がそうとする場合と同様に破断スイッチ３周辺の基板４表面にインク液ｂが付着し、破断スイッチ３がオフになる。
【図面の簡単な説明】
【００１８】
【図１】本発明を実施したＩＣタグの平面図である。
【図２】図１の断面図である。
【図３】破断スイッチの平面図である。
【図４】図３の断面図である。
【図５】変形例の破断スイッチの平面図である。
【図６】本発明を実施したＩＣタグのブロック図である。
【図７】破断スイッチの破断状態を示す図である。
【図８】変形例の破断スイッチの破断状態を示す図である。
【符号の説明】
【００１９】
１        ＩＣチップ
１１      整流回路
１２      復調回路
１３      変調回路
１４      クロック回路
１５      ＣＰＵ
１６      メモリ
２        アンテナコイル
３        破断スイッチ
３１      メンブレン
３２      パッキング
３３      液貯蔵層
３４      電極
３５      リード線
４        基板
５        インレット
６        表面シール
７        剥離紙
８        リーダ／ライタ
９        アンテナコイル
ａ        粘着剤
ｂ        インク液
ｃ        弱め線
ｄ        細線
【手続補正３】
【補正対象書類名】図面
【補正対象項目名】図２
【補正方法】変更
【補正の内容】
【図２】
2005316628.tif 000011
【手続補正４】
【補正対象書類名】図面
【補正対象項目名】図６
【補正方法】変更
【補正の内容】
【図６】
2005316628.tif 000012